(57)【特許請求の範囲】
【請求項１】
肌に接触させる第１表面シートと前記第１表面シートの反対側に位置する第２表面シートとの間に発熱体が介在しており、前記第１表面シートが酸素および水蒸気を透過可能であり、前記発熱体が酸素を供給されると発熱して前記発熱体に含まれる水分から水蒸気を発生するものである肌に接触させて使用する加湿体であって、
前記第１表面シートと前記発熱体との間に温度制御層が設けられており、前記温度制御層は、内部に独立気泡を有する断熱性の発泡樹脂シートであり、前記発泡樹脂シートに、前記発熱体と前記第１表面シートとにつながる複数の貫通孔が形成され、
前記貫通孔は、前記発熱体に対向している前記発泡樹脂シートの内面での開口面積が小さく、前記第１表面シートに対向している前記発泡樹脂シートの外面での開口面積が大きいことを特徴とする前記加湿体。
【請求項２】
前記発熱体は、金属紛と水分と塩類を含んでシート状に形成されており、前記発熱体と前記温度制御層とが第三の部材を介在させることなく直接に対向している請求項１記載の加湿体。
【請求項３】
前記発熱体と前記第２表面シートとの間に、内部に独立気泡を有する発泡樹脂シートで形成された断熱層が介在している請求項１または２記載の加湿体。
【請求項４】
前記第１表面シートと前記第２表面シートとの間に前記発熱体および前記温度制御層が介在した加湿部と、前記第１表面シートと前記第２表面シートとを含み前記発熱体を含むことのない薄肉シート部とが設けられており、前記加湿部が前記薄肉シート部よりも前記肌に向かって隆起している請求項１ないし３のいずれかに記載の加湿体。
【請求項５】
前記第１表面シートと前記第２表面シートとの色および色調のいずれかとが、これら両シートの識別が可能となるように相違している請求項１ないし４のいずれかに記載の加湿体。
【発明の詳細な説明】
【技術分野】
【０００１】  本発明は、顔面や身体のその他の箇所の肌に接触させて、その肌に水蒸気を与える加湿体に関する。
【背景技術】
【０００２】  身体に接触させて肌に水蒸気を与える加湿体として、以下の特許文献１に記載のものがある。【０００３】  特許文献１に記載の加湿体は、金属紛と水分および塩類を含む発熱体を有している。酸素と水蒸気を透過する透湿性外袋の内部に発熱体が収納されており、肌に向けられる側では、透湿性外袋と発熱体との間に、織布、不織布、紙、多孔性フィルム、穿孔を有する発泡プラスチックなどで形成された温度調節材が介在している。【０００４】  加湿体が密封袋から取り出されると、透湿性外袋と温度調節材を通して酸素が発熱体に与えられ、発熱体が金属紛の酸化反応によって発熱して発熱体内の水分が蒸発し、水蒸気となって温度調節材および透湿性外袋を通過して肌に与えられる。【０００５】  また、以下の特許文献２にも同様の加湿体が開示されている。特許文献２に記載の加湿体は、ほぼ正方形の２つの発熱体の表面に、紙および不織布から成る温度調整材が重ねられ、さらにこれらが透湿性不織布の外袋内に収納されている。この加湿体は、２つの発熱体の部分を両目に対向させながら顔面に当てがい、目の周囲に水蒸気を与えるというものである。【特許文献１】特開平１１−３４２１４７号公報
【特許文献２】特開２００２−７８７２８号公報
【発明の開示】
【発明が解決しようとする課題】
【０００６】  前記特許文献１に記載の加湿体および特許文献２に記載の加湿体は、いずれも、温度調節材が、複数枚の不織布や紙材などを多重に重ねることにより構成されている。また、金属粉を主体とする発熱体は、不織布や通気性フィルムで形成された透湿性内袋内に納められ、この透湿性内袋に前記多重の温度調節材が重ねられた状態で、さらにその外側が不織布などで形成された透湿性外袋で覆われている。【０００７】  特許文献１に記載のものは、前記のように発熱体と身体の肌との間に不織布や紙や通気性樹脂フィルムなどを重ね合わせて配置することによって、肌に到達する水蒸気の温度を５０℃以下に調整しようとしており、特許文献２に記載のものは、同様に不織布などを重ね合わせることにより、発生する水蒸気の温度を４０〜４２℃程度に調整しようとしている。【０００８】  このように、従来の加湿体は、肌に与えられる水蒸気の温度の調節のみを主眼として発熱体を重ね合わせた複数の不織布や紙や通気性フィルムなどで覆っているため、密封袋から取り出しても、発熱体への酸素の供給が十分ではない。そのため、発熱体を構成する金属紛の酸化の進行速度が遅くなり、単位時間当たりに発生する水蒸気の量を多くすることに限界がある。特に、密封袋から取り出してから水蒸気を発生させるまでに時間がかかる。例えば、特許文献２には、水蒸気の発生までに６０秒間を要することが記載されている。【０００９】  さらに、水蒸気を発生する発熱体から肌までの間に、不織布、紙、通気性フィルムなどが何枚も介在し、これらが水蒸気の透過の抵抗となるので、発熱体から発生した水蒸気が肌に到達するまでに、大きな抵抗を受けることになる。そのため、肌に十分な量の水蒸気を速やかに与えることができず、肌を加湿する効果を十分に発揮するのが困難である。【００１０】  本発明は、上記従来の課題を解決するものであり、発熱体への酸素の供給効率を良くして金属紛の酸化を促進させ、単位時間当たりの水蒸気の発生量を多くし、さらに、発熱体から発生した水蒸気を速やかに肌に供給することができる加湿体の提供を目的としている。
【課題を解決するための手段】
【００１１】
本発明は、肌に接触させる第１表面シートと前記第１表面シートの反対側に位置する第２表面シートとの間に発熱体が介在しており、前記第１表面シートが酸素および水蒸気を透過可能であり、前記発熱体が酸素を供給されると発熱して前記発熱体に含まれる水分から水蒸気を発生するものである肌に接触させて使用する加湿体を対象にするもので、前記第１表面シートと前記発熱体との間に温度制御層が設けられており、前記温度制御層は、内部に独立気泡を有する断熱性の発泡樹脂シートであり、前記発泡樹脂シートに、前記発熱体と前記第１表面シートとにつながる複数の貫通孔が形成され、前記貫通孔は、前記発熱体に対向している前記発泡樹脂シートの内面での開口面積が小さく、前記第１表面シートに対向している前記発泡樹脂シートの外面での開口面積が大きいことを特徴とする。
【００１２】  本発明の加湿体は、温度制御層が独立気泡と貫通孔とを有する発泡樹脂シートで構成されている。この温度制御層は断熱機能を有しているため、発熱体の熱が直接肌に供給されるのを防止できるのみならず、外部の空気が多数の貫通孔を経て発熱体に短時間のうちに十分与えられるため、発熱体を構成する金属粉の酸化を発熱体の表面の全域において急速に進行させることができる。よって、加湿体に酸素を供給してから短時間のうちに水蒸気を発生させることができ、また単位時間当たりに発生する水蒸気量を多くできる。さらに発生した水蒸気は、貫通孔を経て大きな抵抗を受けることなく第１表面シートを透過して肌に供給されるため、肌に対して十分な加湿効果を与えることが可能となる。【００１４】  発熱体に対向している内面において貫通孔の開口面積が小さいため、発熱体から発生した水蒸気は、多数の貫通孔のそれぞれに分散して入り込むようになり、この分散によって水蒸気温度を低下させることができる。さらに貫通孔は、第１表面シートに対向する外面において開口面積が大きくなっているため、温度制御層を通過した水蒸気は広く拡散して第１表面シートを透過するようになり、肌に対して一様に水蒸気を与えることが可能である。【００１５】  さらに本発明の好ましい実施の形態では、前記発熱体は、金属紛と水分と塩類を含んでシート状に形成されており、前記発熱体と前記温度制御層とが第三の部材を介在させることなく直接に対向している。【００１６】  本発明のこの形態では、金属紛を主体としてシート状に形成された発熱体を使用するから、金属粉が温度制御層の貫通孔を通って加湿体の外へ漏れ出るということがない。【００１７】  本発明の好ましい実施の形態ではまた、前記発熱体と前記第２表面シートとの間に、内部に独立気泡を有する発泡樹脂シートで形成された断熱層が介在している。【００１８】  第２表面シート側に前記断熱層が設けられていると、第２表面シートを手に持って第１表面シートを肌に当てたときに、手に熱さを感じることがなく、加湿体が手で保持しやすくなる。【００１９】  本発明の好ましい実施の形態ではまた、前記第１表面シートと前記第２表面シートとの間に前記発熱体および前記温度制御層が介在した加湿部と、前記第１表面シートと前記第２表面シートとを含み前記発熱体を含むことのない薄肉シート部とが設けられており、前記加湿部が前記薄肉シート部よりも前記肌に向かって隆起している。【００２０】  この形態であると、第１表面シートを肌に当てたときに、薄肉シート部は肌に当たりにくく、加湿部が優先的に肌に当たりやすくなるため、加湿部は広い面積で肌に密着可能になる。【００２１】  さらに、本発明の好ましい実施の形態ではまた、前記第１表面シートと前記第２表面シートとの色および色調のいずれかがこれら両シートの識別が可能となるように相違している。【００２２】  このように、第１表面シートと第２表面シートとで色および色調のいずれかに違いをつけておくことにより、使用者が間違えて第２表面シートを肌に当てることがなくなる。
【発明の効果】
【００２３】  本発明に係る加湿体は、密封状態を解除されて酸素が与えられたときに、金属粉の酸化が急速に進行し、短時間で水蒸気を発生することができ、しかも発熱体から発生した水蒸気は、広く拡散して肌に供給される。
【図面の簡単な説明】
【００２４】
【図１】本発明の実施の形態の加湿体を肌側表面から示す正面図。
【図２】図１のＩＩ−ＩＩ線の断面図。
【図３】図２の加湿体の構成要素を示す分解断面図。
【図４】実施の形態の他の一例である加湿体の構成要素を示す分解断面図。
【図５】図２の部分拡大断面図。
【図６】顔面に対して使用された状態の加湿体の正面図。
【図７】顔面に対して使用された状態の加湿体の側面図。
【符号の説明】
【００２５】１  加湿体４  第１表面シート５  第２表面シート６  上縁７  下縁１１  加湿部（右内側加湿部）１２  加湿部（左内側加湿部）１３  加湿部（右外側加湿部）１４  加湿部（左外側加湿部）１５  薄肉シート部１６  薄肉シート部（中央変形部）１７  薄肉シート部（右側方変形部）１８  薄肉シート部（左側方変形部）３１  発熱体３２  温度制御層３３  断熱層３４  貫通孔Ｏ−Ｏ  中心線
【発明を実施するための最良の形態】
【００２６】  図１は本発明の実施の形態である加湿体を第１表面シートが手前になるようにして示す加湿体の正面図、図２は図１に示す加湿体のＩＩ−ＩＩ線での部分断面図、図３と図４は各実施態様の加湿体の構造を示す分解断面図、図５は図２の一部を拡大した拡大部分断面図、図６と図７は、加湿体を顔面に当てたときの状態を示す図である。【００２７】  図１に示す加湿体１は、顔に当てて、蒸しタオルのようにして使用するものの一例であって、手前に向けられている側が肌側表面２であり、これと反対の側が非肌側表面３である（図２を併せて参照）。この加湿体１は、肌側表面２を肌に当てて使用するものである。【００２８】  そのため、肌側表面２と非肌側表面３とで、外部から見たときの色や色調のいずれかに違いをつけておくことが好ましい。例えば、肌側表面２を薄い水色、黄色、赤色など白色以外の色とし、非肌側表面３を白色にしておくと、使用者は着色されている側が肌側表面２であると認識しやすくなる。【００２９】  色や色調に違いをつける手段として、例えば肌側表面２を形成する第１表面シート４に着色した繊維を使用したり第１表面シート４を色を透視できるものとし、この第１表面シート４よりも内側に位置するシート、例えば温度制御層３２を着色しておくこともできる。また、非肌側表面３を形成する第２表面シート５には白色繊維などを使用する。なお、これとは逆に、肌側表面２を白色とし非肌側表面３を着色してもよい。あるいは肌側表面２と非肌側表面３をそれぞれ白色以外とし、且つ互いに異なる色に着色してもよい。【００３０】  この加湿体１は、図６および図７に示すように、顔面の面積の半分近くを覆うことができるものであることが好ましい。中心線Ｏ−Ｏに沿う方向の長さ寸法は、少なくとも目の下から口までを覆えるように８０ｍｍ以上で、さらに好ましくは１００ｍｍ以上であるが、その最大値は例えば１８０ｍｍ以下である。また、中心線Ｏ−Ｏと直交する方向での幅寸法は、両頬を同時に覆うことができるように１５０ｍｍ以上で、好ましくは２００ｍｍ以上であるが、その最大値は例えば３２０ｍｍ以下である。【００３１】  図１において、この加湿体１は、顔の上下方向に一致する上下方向と、その上下方向に直交する幅方向とを有し、幅方向の寸法を二等分して上下方向に延びる中心線Ｏ−Ｏに関して左右対称である。加湿体１は、その上方に幅方向へ延びる上縁６を有し、その上縁６は、中心線Ｏ−Ｏを挟んで左右に均等に広がる領域に、上方に向かって凸曲線を画く凸部６ａを有する。上縁６と対向する側の下縁７は、中心線Ｏ−Ｏを挟んで左右に均等に広がる領域に、上方に向かって凸曲線を画く凹部７ａを有する。また、加湿体１の右側縁８と左側縁９は、左右両側へ突出する凸曲線を画いている。【００３２】  図１に示すように、加湿体１は、肌側表面２に向って中心線Ｏ−Ｏの右側に右内側加湿部１１が、中心線Ｏ−Ｏの左側に左内側加湿部１２が形成されている。右内側加湿部１１のさらに右側には、右外側加湿部１３が形成され、左内側加湿部１２のさらに左側には、左外側加湿部１４が形成されている。【００３３】  右内側加湿部１１は、区画線２１で囲まれた領域である。区画線２１は、中心線Ｏ−Ｏと平行な内��直線部２１ａと、右側傾斜基準線Ｌ１と平行な外側直線部２１ｂとを有し、さらに上方に向かって凸曲線を画く上部線部２１ｃと下方へ向かって凸曲線を画く下部線部２１ｄとを有している。左内側加湿部１２は、区画線２２で囲まれた領域である。この区画線２２も、中心線Ｏ−Ｏと平行な内側直線部２２ａ、左側傾斜基準線Ｌ２と平行な外側直線部２２ｂ、上部線部２２ｃおよび下部線部２２ｄを有している。【００３４】  右外側加湿部１３は区画線２３で囲まれた領域である。区画線２３は、右側傾斜基準線Ｌ１と平行な直線部２３ａと曲線部２３ｂとを有している。同様に、左外側加湿部１４は、区画線２４で囲まれた領域である。区画線２４は、左側傾斜基準線Ｌ２と平行な直線部２４ａと、曲線部２４ｂとを有している。【００３５】  右内側加湿部１１と左内側加湿部１２は、中心線Ｏ−Ｏに関して左右対称である。また、右外側加湿部１３と左外側加湿部１４は、中心線Ｏ−Ｏに関して左右対称である。【００３６】  加湿体１は、右内側加湿部１１、左内側加湿部１２、右外側加湿部１３および左外側加湿部１４以外の領域が、発熱体３１（図２参照）を有しておらず、発熱および水蒸気の発生機能を持たない非加熱部として扱われる薄肉シート部１５である。この薄肉シート部１５では、加湿体を構成しているもののうちで発熱体３１を除く各構成部材が一緒に加圧されて溶着されており、この薄肉シート部１５は、右内側加湿部１１、左内側加湿部１２、右外側加湿部１３および左外側加湿部１４に比べて曲げ剛性が低くなっている。また、右内側加湿部１１、左内側加湿部１２、右外側加湿部１３および左外側加湿部１４は、薄肉シート部１５で囲まれている。【００３７】  図１に示すように、右内側加湿部１１と左内側加湿部１２とに挟まれて中心線Ｏ−Ｏに沿って延びる部分には、薄肉シート部１５によって中央変形部１６が形成されている。また、右内側加湿部１１と右外側加湿部１３とに挟まれて右側傾斜基準線Ｌ１に沿って延びる部分には、薄肉シート部１５によって右側方変形部１７が形成されている。同様に、左内側加湿部１２と左外側加湿部１４とで挟まれて左側傾斜基準線Ｌ２に沿って延びる部分には、薄肉シート部１５によって左側方変形部１８が形成されている。【００３８】  右側方変形部１７の幅寸法および左側方変形部１８の幅寸法は、中央変形部１６の幅寸法よりも狭くなっている。右側傾斜基準線Ｌ１と左側傾斜基準線Ｌ２は、右側方変形部１７と左側方変形部１８との幅方向の中央部を通る直線であり、上方に向かうにしたがって中心線Ｏ−Ｏに徐々に接近するように傾斜しており、加湿体１の外側で中心線Ｏ−Ｏと交差している。右側傾斜基準線Ｌ１と中心線Ｏ−Ｏとの成す角度θおよび左側傾斜基準線Ｌ２と中心線Ｏ−Ｏとの成す角度θは、共に１０度以上で４５度以下が好ましい。【００３９】  右側傾斜基準線Ｌ１と上縁６との交点を上部変形基準点２５ａとし、左側傾斜基準線Ｌ２と上縁６との交点を上部変形基準点２５ｂとし、上部変形基準点２５ａ，２５ｂ間の横方向の間隔をＷ１とする。また、右側傾斜基準線Ｌ１と下縁７との交点を下部変形基準点２６ａ、左側傾斜基準線Ｌ２と下縁７との交点を下部変形基準点２６ｂとし、下部変形基準点２６ａ，���６ｂ間の横方向の間隔をＷ２とする。間隔Ｗ１は間隔Ｗ２よりも短く、間隔Ｗ１は５０〜１２０ｍｍの範囲が好ましく、間隔Ｗ２は１００〜２２０ｍｍの範囲が好ましい。【００４０】  図１に示すように、前記中央変形部１６には、通気部２７が形成されている。この実施の形態では、中央変形部１６を形成する薄肉シート部１５を、肌側表面２から非肌側表面３にかけて貫通するように切り取ることによって通気部２７が形成されている。通気部２７の横方向の開口幅寸法Ａは、中央変形部１６の幅寸法未満であればよい。例えば開口幅寸法Ａの最大値は４０ｍｍ程度にすることができ、さらに好ましくは３０ｍｍ程度にすることができる。通気部２７は、中央変形部１６にスリットを入れることによって形成することもできる。そのときの開口幅寸法Ａは、０ｍｍである。【００４１】  通気部２７の上下方向の長さ寸法Ｂは、例えば２０ｍｍ以上で１００ｍｍ以下である。また通気部２７は、上下方向へ間欠的に設けられていてもよいが、そのときの通気部２７は、上下両端にあるものの間の寸法を２０〜１００ｍｍにする。【００４２】  図２および図３に示すように、右内側加湿部１１、左内側加湿部１２、右外側加湿部１３および左外側加湿部１４の内部には、発熱体３１が設けられている。この発熱体３１は、鉄、アルミニウム、亜鉛などの酸化しやすい金属粉と水、および金属粉を酸化させるための塩類を含んでいる。塩類は、塩化ナトリウム、塩化カリウム、塩化カルシウム、塩化マグネシウムなどである。さらに金属粉の酸化を促進させるために、活性炭、カーボンブラック、黒鉛などの炭素材料を含んでもよい。さらには、水分を長時間保持できるように、バーミキュライト、珪酸カルシウム、シリカゲル、シリカなどの保湿剤を含んでもよい。【００４３】  発熱体３１は、それに酸素が与えられると、金属粉が酸化してそのときの酸化熱によって８０℃程度またはそれ以上に上昇する。この酸化熱により、発熱体３１内の水分が蒸発し水蒸気が発生する。【００４４】  発熱体３１は、各成分を混合し、それをローラで加圧してシート状にしたものであることが好ましい。また、発熱体３１には、シートの形態を維持するために効果のある樹脂材料や接着剤、繊維などを含ませてもよい。【００４５】  図３における発熱体３１はシート状のもので、このようなシート状の発熱体３１を使用するときには、粉末状の発熱体３１を使用するときのように発熱体３１を被覆シート４５,４６（図４参照）で包む必要がない。シート状の発熱体３１の表面には温度制御層３２を直接重ね、その温度制御層３２には第１表面シート４を直接重ねることができる。【００４６】  この構成の加湿体１であると、第１表面シート４と温度制御層３２の貫通孔３４とを通じて発熱体３１の表面全域に酸素を速やかに与えることができる。そのようにして酸素が与えられた発熱体３１は、短時間のうちに発熱し、速やかに水蒸気を発生する。【００４７】  発熱体３１から肌へ向かって移動する水蒸気は、その移動が被覆シート４５,４６によって妨害されることがなく、速やかに温度制御層３２と第１表面シート４とを通過して肌に供給されるため、単位時間当たりに多くの水蒸気を肌に供給できるようになる。【００４８】  また、発熱体３１に被覆シート４５，４６を使用する場合でも、発熱体３１がシート状であれば、被覆シート４５，４６として薄くて通気性の良好なものを使用することができる。【００４９】  図２と図３に示す実施の形態の加湿体１では、第１表面シート４と発熱体３１との間に温度制御層３２が挟まれている。また、第２表面シート５と発熱体３１との間に断熱層３３が挟まれている。【００５０】  この加湿体１における第１表面シート４、第２表面シート５、温度制御層３２、および断熱層３３は、加湿体１の全体の形状および面積と同じ形状および面積を有している。そして、加湿体１は、右内側加湿部１１、左内側加湿部１２、右外側加湿部１３および左外側加湿部１４以外の領域で、第１表面シート４、第２表面シート５、温度制御層３２、および断熱層３３が密着して薄肉シート部１５を形成している。その薄肉シート部１５では、図５に示すように、多数のエンボス部３５が形成されており、主にこのエンボス部３５において薄肉シート部１５における各構成要素が加圧加熱されて溶着し、一体化している。【００５１】  図１に示すように、エンボス部３５は細かなクロスパターンで形成されており、このエンボス部３５は、右内側加湿部１１、左内側加湿部１２、右外側加湿部１３および左外側加湿部１４以外の薄肉シート部１５の全域に形成されている。なお、エンボス部３５のパターン形状は任意であり、ドット状や波形の曲線状などであってもよい。【００５２】  第１表面シート４には、多毛シートを使用することができる。この多毛シートは、酸素および水蒸気を透過可能な基材シート４１の外面４１ａ（図３参照）、すなわち加湿体使用者の肌と向かい合う表面から、多数本の短繊維４２がほぼ一様な高さで突出しているものである。この多毛シートには、織布または不織布からなる基材シート４１に、多数本の短繊維４２を埋め込んだり、または多数本の短繊維４２をそれら織布や不織布を構成する繊維に絡ませたものを使用することができるが、好ましくは植毛シートを使用する。【００５３】  植毛シートは、基材シート４１の外面４１ａに、多数本の短繊維４２を接着剤で接着固定することにより形成される。短繊維４２を接着して植毛する方法として、静電植毛法を採用することができる。この静電植毛法では、短繊維４２の表面に珪酸ソーダなどの導電性物質を塗工し、あるいは短繊維４２に前記導電性物質を練り込んで、短繊維４２を導電処理する。次に、前記基材シート４１と短繊維４２とに互いに電位差を有する電荷を与え、すなわち基材シート４１と短繊維４２との間に電圧を与えることにより、帯電した短繊維４２が基材シート４１の外面４１ａでほぼ垂直な姿勢をとり、接着剤によって外面４１ａに固定される。【００５４】  基材シート４１は、ポリエチレン（ＰＥ）、ポリプロピレン（ＰＰ），ポリエチレンテレフタレート（ＰＥＴ）、ナイロン（Ｎｙ）などの合成樹脂の少なくとも一種で形成された繊維、またはレーヨン繊維や天然繊維（例えばパルプ）などで形成された不織布であり、その不織布は、例えばスパンボンド法、ポイントボンド法、スパンレース法、スルーエア法などで形成される。【００５５】  短繊維４２は、ポリエチレン（ＰＥ）、ポリプロピレン（ＰＰ），ポリエチレンテレフタレート（ＰＥＴ）、ナイロン（Ｎｙ）などの合成樹脂の少なくとも一種で形成された繊維、またはレーヨン繊維などである。短繊維４２の繊度は０．１１〜３．３ｄｔｅｘ程度の細いものが好ましく、基材シート４１の外面４１ａからの短繊維４２の突出寸法は０．３ｍｍ以上で５ｍｍ以下が好ましく、さらには０．５ｍｍ以上で２ｍｍ以下であることが好ましい。また、基材シート４１の外面４１ａの１ｃｍ２あたりの短繊維４２の本数は、１００本〜１万本程度であるが、この範囲に限られるものではない。基材シート４１からの短繊維４２の突出寸法が前記範囲内であると、第１表面シート４が肌に接触したときに、基材シート４１と肌との間に適度な空隙を形成しやすくなる。【００５６】  温度制御層３２は、内部に独立した気泡が散在している発泡樹脂シートで形成されており、そのシートには、例えば発泡倍率が１０〜５０倍程度の発泡ポリエチレン樹脂シートまたは発泡ポリウレタン樹脂シートなどがある。温度制御層３２には、酸素と水蒸気とが通過可能な多数の貫通孔３４が形成されている。この貫通孔３４は、発熱体３１と向かい合っている内面３２ｂにおける開口径Ｄ２よりも、第１表面シート４と向かい合っている外面３２ａでの開口径Ｄ１の方が大きくなるように作られている。すなわち、個々の貫通孔３４は、内面３２ｂでの開口面積が小さく、外面３２ａでの開口面積が大きくなるように作られている。【００５７】  温度制御層３２は、発熱体３１から発生した水蒸気の温度を少なくとも１０℃以上低下させ、好ましくは２０℃以上低下させる厚み寸法を有しており、その厚み寸法は例えば１〜５ｍｍの範囲にある。【００５８】  温度制御層３２の内面３２ｂでの貫通孔３４の開口径Ｄ２は、０．１〜２ｍｍの範囲であり、好ましくは０．１〜１ｍｍの範囲である。口径の比Ｄ１／Ｄ２は、例えば１．２〜５の範囲であり、好ましくはＤ１／Ｄ２が１．５以上である。また、内面３２ｂでの貫通孔３４の開口面積率は、５〜３０％程度である。なお、開口径Ｄ１，Ｄ２は、開口の形状が円形である場合にはその直径であるが、円形以外の場合には、個々の開口の最大値を意味する。【００５９】  第２表面シート５は、水蒸気を透過させない非通気性シートであるか、または、第１表面シート４よりも水蒸気の透過率が低いものである。図３，４の第２表面シート５は、エアーレイド法、スパンボンド法、ポイントボンド法などで形成された不織布５ａの内面に、ポリエチレン樹脂などで形成された非通気性樹脂フィルム５ｂがラミネートされている。【００６０】  断熱層３３は、貫通孔を有していない発泡ポリエチレン樹脂シートまたは発泡ウレタン樹脂シートであり、内部に独立した気泡が散在している。この断熱層３３は、水蒸気を透過させない非通気性のものであるが、温度制御層３２よりも水蒸気の透過率が低いものにすることもできる。断熱層３３の厚み寸法は、０．５〜４ｍｍ程度であり、好ましくは０．５〜２ｍｍ程度である。この断熱層３３の断熱効果により、発熱体３１が発熱しても加湿体１の非肌側表面３が高温になるのを防止できる。それゆえ、加湿体１を使用中に、非肌側表面３を手で支えても、手が異常に熱くなることはない��【００６１】  図４は、実施の形態の一例である加湿体１Ａの層構造を示している。この加湿体１Ａでは、右内側加湿部１１、左内側加湿部１２、右外側加湿部１３および左外側加湿部１４に設けられている発熱体３１Ａが、シート状に成形されておらず、互いに独立している金属粉等の粉体を単に集合させたものであって、右内側加湿部１１、左内側加湿部１２、右外側加湿部１３および左外側加湿部１４において、発熱体３１Ａが被覆シート４５，４６で包まれている。被覆シート４５，４６は、金属粉等の粉体を通過させることなく、酸素および水蒸気を透過させることができるものであり、不織布や織布、通気性の紙、通気性の樹脂フィルムなどで形成されている。【００６２】  図４に示すように、加湿体１が発熱体３１Ａと温度制御層３２との間に被覆シート４６を介在させた構造のものであっても、被覆シート４６に１枚の通気性の不織布や紙、樹脂フィルムを使用して、発熱体３１Ａに対する酸素の供給や、発熱体３１Ａからの水蒸気の発生を速やかに行うことが可能である。【００６３】  このように形成される加湿体１は、酸素を透過させない非通気性の樹脂フィルムなどで形成された密封袋に封入されて使用者に供給される。【００６４】  その密封袋を開封して加湿体１を取り出すと、右内側加湿部１１、左内側加湿部１２、右外側加湿部１３および左外側加湿部１４内に設けられた発熱体３１に大気中の酸素が供給されて、金属粉が酸化反応し、そのときの酸化熱により発熱体３１に含まれている水分が蒸発する。その水蒸気は、温度制御層３２および第１表面シート４を透過して第１表面シート４の外へ出て肌に供給されるが、第１表面シート４の反対側にある非通気性樹脂フィルム５ｂで形成されている第２表面シート５では透過を阻止されて外に出ることがない。【００６５】  図６および図７に示すように、加湿体１は、肌側表面２が人体の肌に接するようにして使用される。発熱体３１は、金属粉の酸化熱により８０℃前後あるいはそれ以上の温度となるが、この発熱体３１を覆っている温度制御層３２は、内部に多数の独立気泡が形成された発泡樹脂シートであるため、発熱体３１の熱が直接に肌に伝わることがなく、肌の温度が異常に高くなるのを防止できる。【００６６】  また、発熱体３１から発生する水蒸気の温度は８０℃前後あるいはそれ以上になることがあるが、この水蒸気は、温度制御層３２の貫通孔３４を通過し、さらに第１表面シート４を透過する間に冷却されて、例えば基材シート４１の外面４１ａにおいて６０℃またはそれ以下の温度になり得る。図３に示すように、温度制御層３２には、発熱体３１と向かい合う内面３２ｂでの開口径Ｄ２および開口面積率が小さく、肌と向かい合う外面３２ａでの開口径Ｄ１および開口面積率が大きくなっている。発熱体３１から発生する水蒸気は、各貫通孔３４に分散して供給され、貫通口３４の内側では径方向に拡散する間に温度の低下が進む。また、温度制御層３２の外面３２ａでは貫通孔３４の開口径Ｄ１が広げられているため、水蒸気は第１表面シート４に沿って広く拡散する傾向にある。【００６７】  加湿体１の肌側表面２では、右内側加湿部１１、左内側加湿部１２、右外側加湿部１３および左外側加湿部１４が肌側に向かって薄肉シート部１５よりも隆起しているため、加湿体１を顔面などに当てると、薄肉シート部１５は肌に接触しにくく、隆起している加湿部１１，１２，１３および１４が優先的に肌に接触する。このように加湿部１１，１２，１３および１４が肌に密着しやすいため、水蒸気を肌に無駄なく供給できるようになる。【００６８】  これら加湿部１１，１２，１３，１４の肌側表面２を形成する第１表面シート４は、基材シート４１の外面４１ａから多数本の短繊維４２が突出している多毛シートである。第１表面シート４が多数本の短繊維４２を介して肌に当たることにより、肌への接触感触がソフトなものとなる。【００６９】  また、短繊維４２が存在することにより、基材シート４１の外面４１ａと肌との間にわずかな距離の空間が形成される。よって、基材シート４１を通過する水蒸気の温度が例えば５０℃またはそれ以上であっても、水蒸気がその空間を介して肌に供給されるため肌への刺激を抑制でき、肌が高い温度を感じるのを防止できるようになる。また基材シート４１と肌との間にある水蒸気は、その空間の中で拡散する傾向にあり、この拡散によっても肌に与える熱の刺激を抑制できる。水蒸気が拡散することで、肌の表面にまんべんなく水蒸気を供給することができ、肌への加湿効果を高めることができる。【００７０】  特に、第１表面シート４が静電植毛法で形成されたものであると、多数本の短繊維４２が、基材シート４１の外面４１ａからほぼ垂直姿勢で突出するので、第１表面シート４を肌に当てたときに、短繊維４２を介して、基材シート４１と肌との間に空隙を形成しやすくなる。また、短繊維４２を基材シート４１に固着している接着剤としてウレタン系のホットメルト型接着剤を用いていると、この接着剤が耐熱性に優れているため、水蒸気の温度によって短繊維４２が脱落しにくくなる。【００７１】  このように、第１表面シート４に設けられた多数本の短繊維４２が、水蒸気の温度を低下させ、また水蒸気を拡散させる機能を発揮できるので、水蒸気の温度を下げるために特に厚い温度制御層３２を必要とするということがない。そのため、発熱体３１から発生する水蒸気を、肌に多く供給することができる。【００７２】  また、図５に示すように、右内側加湿部１１は、その周囲が区画線２１により区画されている。この区画線２１の外側には、薄肉シート部１５が形成されている。すなわち、区画線２１は、その位置よりも内側において、第１表面シート４、第２表面シート５、温度制御層３２および断熱層３３が薄肉シート部１５を形成するときのような加圧を受けていないことを示す境界線を意味している。【００７３】  右内側加湿部１１ではまた、区画線２１の内側の幅寸法Ｗａを有する内側周縁領域で、発泡樹脂シートで形成された温度制御層３２と断熱層３３とが互いに密着して存在し、発熱体３１が区画線２１に接近することを阻むように形成されている。幅寸法Ｗａは、例えば０．３〜５ｍｍの範囲である。幅寸法Ｗａの領域を設けると、発熱体３１を形成する金属粉が酸化して赤茶色の酸化物を形成したときに、その酸化物の色が区画線２１の部分に滲み出るのを防止できる。【００７４】  例えば、幅寸法Ｗａの領域に温度制御層３２と断熱層３３���が存在していないと、金属粉の酸化物（錆びの層）が、水に溶解して加圧されて繊維密度が高くなっている区画線２１の方に導かれ、右内側加湿部１１の周囲が区画線２１に沿って赤茶色を帯び、使用者がその色を直接に見ることになって、不安感、不快感を覚えることがある。しかし、図５に示す実施の形態では、区画線２１の内側で互いに密着している温度制御層３２と断熱層３３とが、酸化物を溶解して着色した水分が区画線２１に向かって流れることを防止することができる。したがって、区画線２１は、赤茶色になりにくい。【００７５】  図５の断面構造で得られる効果は、左内側加湿部１２の区画線２２、右外側加湿部１３の区画線２３、および左外側加湿部１４の区画線２４においても同様に得ることができる。【００７６】  図６は、顔面に当てた加湿体１の正面図、図７はその側面図である。【００７７】  加湿体１は、右内側加湿部１１、左内側加湿部１２、右外側加湿部１３および左外側加湿部１４が発熱体３１を有しており、その部分は厚さが厚くて剛性が高く、曲がりにくくなっている。ただし、右内側加湿部１１と左内側加湿部１２の間の中央変形部１６は、中心線Ｏ−Ｏを介して折れ曲がりやすくなっており、さらに右内側加湿部１１と右外側加湿部１３との間の右側方変形部１７および、左内側加湿部１２と左外側加湿部１４との間の左側方変形部１８も曲がりやすくなっている。【００７８】  したがって、右内側加湿部１１、左内側加湿部１２、右外側加湿部１３および左外側加湿部１４のそれぞれは、起伏の覆い顔面に対して、互いに拘束されることなく、独立して接触することが可能である。【００７９】  図６に示すように、加湿体１をその中心線Ｏ−Ｏが鼻筋と口の中央部に一致するように顔に当てると、比較的幅の広い中央変形部１６の部分で加湿体１が、鼻筋の部分から左右に折れ曲がる。さらに、上部変形基準点２５ａと上部変形基準点２５ｂとが、目の下に位置する頬骨の上部付近に位置し、下部変形基準点２６ａと下部変形基準点２６ｂとが、顎の下方の左右両側部（口よりもやや下方の左右両側部）に位置するようであると、そのときの加湿体１は、右側傾斜基準線Ｌ１と左側傾斜基準線Ｌ２の部分から、顔面の起伏に倣うように折れ曲がるようになる。【００８０】  また、右内側加湿部１１と左内側加湿部１２とが、鼻の左右両側で頬部に密着可能になる。右内側加湿部１１と左内側加湿部１２とが、共に上縁６に近づくにしたがって幅寸法が徐々に小さくなる形状であることは、これら両部１１，１２が鼻の左右両側で頬部に密着することを特に容易にしている。【００８１】  さらに、右外側加湿部１３と左外側加湿部１４とは、頬の左右両側部から耳の近くにかけて密着できるようになる。【００８２】  この加湿体１の上縁６では、中心線Ｏ−Ｏの部分に凸部６ａが形成されている。この凸部６ａが鼻筋に当たることにより、水蒸気を、鼻の両側部に供給することができる。【００８３】  また、中央変形部１６で上下に細長く延びている通気部２７は、鼻孔の近傍にまで延びており、さらに好ましくは口の前方にまで延びている。そのような加湿体１は、これを顔に当てたときに、呼吸しやすく、着用者は息苦しさを感じることがない。【００８４】  なお、��示例では、加湿体１が顔面に当てて使用するのに適した形状のものであるとして説明したが、本発明に係る加湿体は、顔面以外の身体の適宜の箇所に当てて使用することができるものである。
【図１】
0004677616.tif 000002
【図２】
0004677616.tif 000003
【図３】
0004677616.tif 000004
【図４】
0004677616.tif 000005
【図５】
0004677616.tif 000006
【図６】
0004677616.tif 000007
【図７】
0004677616.tif 000008